(57)【要約】【課題】ラベル貼り付け動作において発生するパッドの振動を抑えて、パッドおよびその支持部材等の耐久性を向上させたラベラを提供する。【解決手段】容器Ｃに巻き付けられるラベルＬを吸着保持するためのパッドを、容器Ｃの移送方向の前方に位置する前方パッド部２１と移送方向の後方に位置する後方パッド部２２に分割する。前方パッド部２１と後方パッド部２２を揺動軸４２に揺動可能に取付ける。容器ＣとラベルＬが最接近する接点位置の上流において、前方パッド部２１で吸着保持するラベルＬの前端部分を容器Ｃに当接させ、接点位置の下流において、後方パッド部２２で吸着保持するラベルＬの後端部分を容器Ｃに当接させてラベルＬを容器Ｃへ巻き付ける。【選択図】図７
2018002236.tif 000002
【特許請求の範囲】
【請求項１】
物品を保持して回転移送する回転体と、
前記物品に巻き付けられるラベルを吸着保持するためのパッドが設けられた回転ドラムとを備え、
前記パッドが前記物品の移送方向の前方に位置する前方パッド部と前記移送方向の後方に位置する後方パッド部に分割されるとともに、前記前方パッド部と後方パッド部が前記回転ドラムに対して揺動可能に取付けられ、
前記回転体によって回転移送される物品と前記回転ドラムによって回転移送されるラベルが最接近する接点位置の上流において、前記前方パッド部で吸着保持するラベルの前端部分を物品に当接させ、前記接点位置の下流において、前記後方パッド部で吸着保持するラベルの後端部分を物品に当接させてラベルを物品へ巻き付けることを特徴とするラベラ。
【請求項２】
前記回転ドラムに揺動軸が設けられ、前記前方パッド部と前記後方パッド部は共通の揺動軸に取付けられることを特徴とする請求項１に記載のラベラ。
【発明の詳細な説明】
【技術分野】
【０００１】
本発明は、容器等の物品の外周面にラベルを貼り付けるラベラに関する。
【背景技術】
【０００２】
従来、ラベラとして特許文献１に開示されたものが知られている。このラベラは、ロールから引き出される長尺フィルムを所定の長さに裁断し、この裁断されたフィルム（ラベル）の前端と後端をフィルム吸着体により保持し、容器の外周面に巻き付けるように構成されている。フィルム吸着体は揺動自在に設けられ、貼り付け動作では、回転移送されつつ自転する容器に接近するとともに揺動してラベルを容器に巻き付け、これによりラベルの両端部が重ね合わせられ、熱溶着される。
【先行技術文献】
【特許文献】
【０００３】
【特許文献１】特許第２５１８６１５号公報
【発明の概要】
【発明が解決しようとする課題】
【０００４】
上述した従来のラベラでは、ラベルが長くなるに従ってフィルム吸着体（パッド）も長くなり、その重量も大きくなる。これによりラベル貼り付け動作におけるパッドの振動が大きくなり、パッドおよびその支持部材等の耐久性が低下するという問題が生じる。
【０００５】
本発明はラベラにおいて、ラベル貼り付け動作において発生するパッドの振動を抑えて、パッドおよびその支持部材等の耐久性を向上させることを目的としている。
【課題を解決するための手段】
【０００６】
本発明に係るラベラは、物品を保持して回転移送する回転体と、物品に巻き付けられるラベルを吸着保持するためのパッドが設けられた回転ドラムとを備え、パッドが物品の移送方向の前方に位置する前方パッド部と移送方向の後方に位置する後方パッド部に分割されるとともに、前方パッド部と後方パッド部が回転ドラムに対して揺動可能に取付けられ、回転体によって回転移送される物品と回転ドラムによって回転移送されるラベルが最接近する接点位置の上流において、前方パッド部で吸着保持するラベルの前端部分を物品に当接させ、接点位置の下流において、後方パッド部で吸着保持するラベルの後端部分を物品に当接させてラベルを物品へ巻き付けることを特徴としている。
【０００７】
好ましくは、前方パッド部と後方パッド部は、回転ドラムに設けられた共通の揺動軸に取付けられる。
【発明の効果】
【０００８】
本発明によれば、ラベル貼り付け動作において発生するパッドの振動を抑えて、パッドおよびその支持部材等の耐久性を向上させたラベラを得ることができる。
【図面の簡単な説明】
【０００９】
【図１】本発明の一実施形態であるラベラの概略的な構成を示す配置図である。
【図２】移送ドラムにおいて、前方パッドと後方パッドを通る平面で切断して示す断面図である。
【図３】移送ドラムにおいて、揺動軸を通る平面で切断して示す断面図である。
【図４】パッドを示す平面図である。
【図５】パッドを容器側から見た正面図である。
【図６】パッドのカムフォロアが溝カムに係合した状態を示す平面図である。
【図７】ラベルの前端部分を容器に貼り付ける工程を示す図である。
【図８】ラベルを容器に巻き付ける工程を示す図である。
【図９】ラベルの後端部分をラベルの前端部分に貼り付ける工程を示す図である。
【発明を実施するための形態】
【００１０】
以下、図示された一実施形態を参照して本発明のラベラを説明する。
図１はラベラの概略的な構成を示している。図示しないロールスタンドにロール状に巻かれた帯状のラベル１０は、ロールスタンドから引き出され、複数のローラ１１を介してカッタ１２に送られる。カッタ１２は公知の構成を有し、一対の回転体１２ａ、１２ｂから成る。すなわちラベル１０は回転体１２ａ、１２ｂの間を通ることにより所定の長さに切断され、受け渡しドラム１３を介して、移送ドラム（回転ドラム）１４に受け渡される。移送ドラム１４は図において時計方向に回転し、その外周面には、後述するパッド２０（図２参照）が円周方向の等間隔で複数（例えば４つ）設けられる。各パッド２０は１枚ずつラベルを保持して回転搬送する。
【００１１】
移送ドラム１４の周辺であって、受け渡しドラム１３よりも搬送方向の下流側には、糊塗布装置１５が配置される。糊塗布装置１５は公知の構成を有し、移送ドラム１４のパッド２０に保持されている各ラベルの前端と後端に糊を塗布する。糊が塗布されたラベルは、糊塗布装置１５の下流側にあるラベル貼り付け位置Ａにおいて、容器搬送装置３０によって搬送されてきた容器（物品）の外周面に巻き付けられて貼り付けられる。
【００１２】
容器搬送装置３０は図において反時計方向に回転する回転体３１を有し、回転体３１は移送ドラム１４と同期運転される。回転体３１の外周縁には、容器を載置するための複数の容器支持台３２が等間隔毎に設けられる。すなわち容器は回転体３１によって回転移送され、移送ドラム１４に最接近したラベル貼り付け位置Ａにおいて、上述したように、パッド２０によって移送されてきたラベルを貼り付けられる。
【００１３】
容器は供給コンベヤ３３によって搬送され、インフィードスクリュー３４によって所定の間隔に切り離される。そして容器は入口スターホイール３５を介して容器搬送装置３０に受け渡され、上述したように回転体３１によって回転移送される間にラベルを貼り付けられる。ラベルが貼り付けられた容器は、回転体３１に回転搬送されて出口スターホイール３６に受け渡され、排出コンベヤ３７上に排出されて次の工程へ送られる。
【００１４】
図２および図３を参照して移送ドラム１４とパッド２０の構成を説明する。移送ドラム１４は鉛直方向に延びる回転駆動軸４１の外周面に固定される。回転駆動軸４１は駆動モータ（図示せず）に連結され、移送ドラム１４は回転駆動軸４１を介して回転駆動される。移送ドラム１４には、回転駆動軸４１に平行に延びる揺動軸４２が設けられ、揺動軸４２には、容器に巻き付けられるラベルを吸着保持するパッド２０が取付けられる。揺動軸４２は複数個設けられ、移送ドラム１４の外周縁に沿って等間隔毎に配置される。パッド２０は、後述するように前方パッド部２１と後方パッド部２２に分割され、各パッド部２１、２２にはそれぞれカムフォロア２３、２４が設けられる。
【００１５】
移送ドラム１４の上方にはカムプレート４３が設けられ、カムプレート４３には、カムフォロア２３、２４が係合する溝カム４４、４５が形成される。前方パッド部２１および後方パッド部２２と移送ドラム１４との間にはそれぞれスプリング４６、４７が設けられ、これらのバネ力によって、カムフォロア２３、２４は常時溝カム４４、４５の壁面に係合する。カムプレート４３は回転軸受４８を介して回転駆動軸４１に嵌合し、また連結部材４９を介して固定枠（図示せず）に連結されて固定される。
【００１６】
容器Ｃが載置される容器支持台３２は、ラベルが容器Ｃの所定の高さ位置に巻き付けられるような高さ位置に設けられ、ハウジング５１と、容器Ｃの底部が載置される載置プレート５２と、ハウジング５１と載置プレート５２の間に設けられるスプリング５３とを有する。また容器支持台３２の上方には容器Ｃの口部を保持するトップロケータ５４が設けられる。トップロケータ５４は容器Ｃを下方へ押圧してスプリング５３を撓めた状態で容器Ｃを安定的に保持するとともに、その軸心周りに回転させる。
【００１７】
図４、５はパッド２０を拡大して示している。上述したようにパッド２０は前方パッド部２１と後方パッド部２２に分割され、前方パッド部２１は容器の移送方向の前方に位置し、後方パッド部２２は移送方向の後方に位置する。また前方パッド部２１と後方パッド部２２は共通の揺動軸４２に取付けられる。すなわち前方パッド部２１は、移送ドラム１４（図１参照）の回転方向の後端部において揺動軸４２に取付けられ、後方パッド部２２は回転方向の前端部において揺動軸４２に取付けられる。
【００１８】
図４に示すように、前方パッド部２１において揺動軸４２とは反対側の端部には、移送ドラム１４の中心側（図の下方）に突出する第１アーム６１が設けられ、第１アーム６１にはカムフォロア２３が取付けられる。同様に、後方パッド部２２において揺動軸４２とは反対側の端部には、移送ドラム１４の中心側（図の下方）に突出し、第１アーム６１よりも長い第２アーム６２が設けられ、第２アーム６２の先端にはカムフォロア２４が取付けられる。
【００１９】
図５に示すように、前方パッド部２１の後端部（図の右側）には揺動軸４２に嵌合される支持筒６３が形成され、後方パッド部２２の前端部（図の左側）には揺動軸４２に嵌合される支持筒６４が形成される。前方パッド部２１の支持筒６３は後方パッド部２２の支持筒６４の上方に位置する（図３参照）。
【００２０】
図４、５に示すように、前方パッド部２１と後方パッド部２２の前面にはそれぞれ多数の吸着孔６５〜６８が穿設される。前方パッド部２１において、前面の前端部７１（図４では右側、図５では左側）は他の部分７２よりも隆起しており、前端部７１に形成される吸着孔６５の径は他の部分７２に形成される吸着孔６６の径よりも小さい。同様に、後方パッド部２２において、前面の後端部７３（図４では左側、図５では右側）は他の部分７４よりも隆起しており、後端部７３に形成される吸着孔６７の径は他の部分７４に形成される吸着孔６８の径よりも小さい。
【００２１】
図６を参照して、カムプレート４３に形成された溝カム４４、４５の形状を説明する。溝カム４４、４５は、ラベル貼り付け位置Ａ（図１参照）とは反対側（図６の下部）の非作動領域では、移送ドラム１４（図１参照）の回転中心を中心とする円弧形状を呈し、カムフォロア２３、２４がこの部分に係合しているとき、前方パッド部２１と後方パッド部２２は揺動しない。これに対し、ラベル貼り付け位置Ａに近接した側（図６の上部）である作動領域Ｒでは、溝カム４４、４５は、前方パッド部２１と後方パッド部２２を揺動軸４２の周りに揺動させるように成形されている。具体的には、移送ドラム１４（図１）の回転に伴いパッド２０が作動領域Ｒに進入すると、カムフォロア２３が外方に移動して前方パッド部２１の前端部が外方に変位する。その後、カムフォロア２３が内方に後退するとともにカムフォロア２４が外方に移動し、前方パッド部２１の前端部が後退するとともに後方パッド部２２の後端部が外方に変位する。この動作を次に詳述する。
【００２２】
図７はラベルＬの前端部分を容器Ｃに貼り付ける工程を示している。ラベルＬの前端部分の貼り付け動作は、回転体３１によって回転移送される容器Ｃと移送ドラム１４（図１）によって回転移送されるラベルＬが最接近する接点位置（図１に示す貼り付け位置Ａ）の上流において行われる。符号（ａ）により示す状態では、前方パッド部２１が揺動軸４２の周りに揺動して移送ドラム１４の外方すなわち容器Ｃに接近する方向に変位している。符号（ｂ）により示す状態では、前方パッド部２１で吸着保持するラベルＬの前端部分が容器Ｃに当接して貼り付けられる。符号（ｃ）、（ｄ）により示す状態では、容器Ｃが回転体３１によって回転移送されつつ自転することに伴い、前方パッド部２１が移送ドラム１４の内方に揺動して、ラベルＬが容器Ｃの外周面に巻き付けられる。これとともに、後端パッド部２２の後端部が外方へ揺動し始める。
【００２３】
図８はラベルＬを容器Ｃに巻き付ける工程を示している。符号（ａ）により示す状態では、ラベルＬの前半部分は容器Ｃに巻き付けられ、ラベルＬの後半部分は後方パッド部２２に吸着保持されている。このとき既に、前方パッド部２１は容器Ｃから離間している。符号（ａ）の状態から、さらに容器Ｃが回転体３１によって回転移送されつつ自転することにより、符号（ｂ）により示す状態になると、ラベルＬの約半分が容器Ｃに巻き付けられる。その後、符号（ｃ）、（ｄ）により示す状態では、後端パッド部２２の後端部が外方へ揺動し、ラベルＬの後半部分が容器Ｃに巻き付けられる。
【００２４】
図９はラベルＬの後端部分をラベルＬの前端部分に重ねて貼り付ける工程を示している。ラベルＬの後端部分の貼り付け動作は、上記接点位置（貼り付け位置Ａ）の下流において行われる。符号（ａ）により示す状態では、後方パッド部２２で吸着保持するラベルＬの後端部分が、既に容器Ｃに貼り付けられているラベルＬの前端部分に当接する。さらに容器Ｃが回転移送されると、符号（ｂ）、（ｃ）により示す状態になり、ラベルＬの後端部分は前端部分に重合して貼り付けられ、ラベルＬの巻き付け動作が完了する。符号（ｄ）により示す状態では、容器Ｃがさらに下流側へ回転移送され、後方パッド部２２は容器Ｃから離間する。
【００２５】
以上のように本実施形態のラベラは、パッド２０が前方パッド部２１と後方パッド部２２に分割され、相互に独立に揺動するように構成されている。そしてラベルＬの巻き付け動作では、前方パッド部２１と後方パッド部２２の両方が同時に揺動することはなく、通常は一方のみが揺動する。したがって、従来装置と比較して、揺動する部材（パッド）を短くし、かつ軽量にすることができるので、容器Ｃに巻き付けられるラベルＬが長い場合であっても、ラベル貼り付け動作における振動を抑えることができ、またパッドおよびその支持部材等の耐久性を向上させることができる。
【００２６】
なお上記実施形態では、前方パッド部２１と後方パッド部２２は共通の揺動軸４２に取付けられているが、これに代えて、前方パッド部２１と後方パッド部２２を別の揺動軸に取付けてもよい。
【００２７】
また、パッド２０を移送ドラム１４の移送方向すなわち周方向に沿って変位可能に設けてもよい。例えば、移送ドラム１４の中心に対して揺動自在なプレートを設けるとともに、プレートの先端に揺動軸４２を取付ければよい。この構成によれば、前方パッド部２１と後方パッド部２２の端部が容器Ｃに接近あるいは離間する動作が速くなり、ラベル貼り付け動作に要する時間を短縮することができる。
【符号の説明】
【００２８】
１４  移送ドラム（回転ドラム）
２０  パッド
２１  前方パッド部
２２  後方パッド部
３１  回転体
４２  揺動軸
Ａ  ラベル貼り付け位置（接点位置）
Ｃ  容器（物品）
Ｌ  ラベル
【図１】
2018002236.tif 000003
【図２】
2018002236.tif 000004
【図３】
2018002236.tif 000005
【図４】
2018002236.tif 000006
【図５】
2018002236.tif 000007
【図６】
2018002236.tif 000008
【図７】
2018002236.tif 000009
【図８】
2018002236.tif 000010
【図９】
2018002236.tif 000011